(57)【要約】【課題】  起伏できる取手を体裁がよく使用に安全でメンテナンスフリーに設けられるようにし、さらには、取手による支持強度を高める。【解決手段】  ステンレス製で断熱構造を有したボトル本体１を備え、樹脂製の外装部材２により取手３を支持したハンディ型のステンレスボトルであって、縦向き外装部材２１の少なくともその外面に開放するように設けた切り込み部１０１に対し取手３の脚部３ａの端部を嵌め合せて、縦向き外装部材２１の上下の端面１０２から各切り込み部１０１、脚部３ａの端部を貫通し、かつ、切り込み部１０１を越えるまでピン７１を差し込んで起伏できるように支持し、ボトル本体１の上下に装着した上下外装部材２３、２４により、縦向き外装部材２１の上下端部を支持したものとして、上記の目的を達成する。【選択図】  図５
2005192594.tif 000002
【特許請求の範囲】
【請求項１】
ステンレス製で断熱構造を有したボトル本体と、このボトル本体の外面に装着された樹脂製の外装部材と、この外装部材に起伏できるように支持された取手とを備えたハンディ型のステンレスボトルであって、
ボトル本体の胴部に軸線方向に当てがい、上下端部寄りに少なくともその外面に開放するように設けた切り込み部を設けた縦向き外装部材と、この縦向き外装部材の切込み部に対し上下にある脚部の端部を嵌め合せて、縦向き外装部材の上下の端面から前記各切り込み部およびそこに嵌め合わせた脚部の端部を貫通し、かつ、切り込み部を越えるまで差し込んだピンにより起伏できるように支持した取手と、ボトル本体の底部と、胴上部、肩部またはおよび口部と、のまわりに周方向に連続して装着されて縦向き外装部材の上下端部を支持した上下外装部材とを備えたことを特徴とするハンディ型のステンレスボトル。
【請求項２】
ステンレス製で断熱構造を有したボトル本体と、このボトル本体の外面に装着された樹脂製の外装部材と、この外装部材に起伏できるように支持された取手とを備えたハンディ型のステンレスボトルであって、
ボトル本体の胴部に軸線方向に当てがい、上下端部寄りの各左右に少なくとも外面に開放するように設けた切り込み部を設けた縦向き外装部材と、この縦向き外装部材の各切り込み部に対し、上下にある脚部の端部の対応するものを嵌め合せて、縦向き外装部材の上下の端面から前記各切り込み部およびそこに嵌め合わせた脚部の端部を貫通し、かつ、切り込み部を越えるまで差し込んだピンにより起伏できるように支持した左右一対の取手と、ボトル本体の底部と、胴上部、肩部またはおよび口部と、のまわりに周方向に連続して装着されて縦向き外装部材の上下端部を支持した上下外装部材とを備えたことを特徴とするハンディ型のステンレスボトル。
【請求項３】
上下外装部材は、縦向き外装部材の上下端部を、その少なくとも前記ピンを差し込んでいる部分を含んで嵌り合って支持している請求項１、２のいずれか１項に記載のハンディ型のステンレスボトル。
【請求項４】
縦向き外装部材の上下端部は、その少なくとも中央部に上下外装部材と嵌り合うように軸線方向に突出した縦向き係合部を有している請求項３に記載のハンディ型のステンレスボトル。
【請求項５】
縦向き外装部材の上下端部は、縦向き係合部の基部から左右に延びて上下外装部材と嵌まり合う横向き係合部を有し、その上面に左右に配設された縦向き係合部よりも低い補強リブの間に前記ピンの差込穴を有している請求項３、４のいずれか１項に記載のハンディ型のステンレスボトル。
【請求項６】
ステンレス製で断熱構造を有したボトル本体と、このボトル本体の外面に装着された樹脂製の外装部材と、この外装部材に起伏できるように支持された取手とを備えたハンディ型のステンレスボトルにおける取手の取付け方法であって、
ボトル本体の胴部に軸線方向に当てがう縦向き外装部材の上下端部寄りに少なくともその外面に開放するように設けた切り込み部に対し、取手上下にある脚部の端部を嵌め合せて、縦向き外装部材の上下の端面から前記各切り込み部およびそこに嵌め合わせた脚部の端部を貫通し、かつ、切り込み部を越えるまでピンを差し込むことにより、取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを特徴とするハンディ型のステンレスボトルにおける取手の取付け方法。
【請求項７】
ステンレス製で断熱構造を有したボトル本体と、このボトル本体の外面に装着された樹脂製の外装部材と、この外装部材に起伏できるように支持された取手とを備えたハンディ型のステンレスボトルにおける取手の取付け方法であって、
ボトル本体の胴部に軸線方向に当てがう縦向き外装部材における上下端部寄りの各左右に少なくとも外面に開放するように設けた切り込み部のそれぞれに対し、左右一対の取手にある上下の脚部の端部の対応するものを嵌め合せて、縦向き外装部材の上下の端面から前記各切り込み部およびそこに嵌め合わせた脚部の端部を貫通し、かつ、切り込み部を越えるまでピンを差し込むことにより、各取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを特徴とするハンディ型のステンレスボトルにおける取手の取付け方法。
【請求項８】
ステンレス製で断熱構造を有したボトル本体と、このボトル本体の外面に装着された樹脂製の外装部材と、この外装部材に起伏できるように支持された取手とを備えたハンディ型のステンレスボトルにおける取手の取付け方法であって、
ボトル本体の胴部に軸線方向に当てがう縦向き外装部材に少なくともその外面に開放するように設けた切り込み部に対し取手にある脚部の端部を嵌め合せて、縦向き外装部材の端面から前記切り込み部およびそこに嵌め合わせた脚部の端部を貫通し、かつ、切り込み部を越えるまでピンを差し込むことにより、取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを特徴とするハンディ型のステンレスボトルにおける取手の取付け方法。
【発明の詳細な説明】
【技術分野】
【０００１】
本発明はステンレス製で断熱構造を有したボトル本体と、このボトル本体の外面に装着された樹脂製の外装部材と、この外装部材に起伏できるように支持された取手とを備えたハンディ型のステンレスボトルとその取手の取付け方法に関するものである。
【背景技術】
【０００２】
このようなハンディ型のステンレスボトルは、取手が起伏することにより不要時は格納してかさ張らず、かつ他と引っ掛かったりしないようにし、取手を把持するときは格納位置から引き出した把持位置にて把持してボトル本体の取り扱いやすくできる。このように起伏する取手をボトル本体にもうけるのに、ボトル本体の外面に付帯させた樹脂製の外装部材を利用することが行われている（例えば、特許文献１、２参照。）。これにより、取手を起伏できるように支持するのに、金属製、それも加工硬化の問題があるステンレス製のボトル本体側に複雑な形状や構造が不要になる利点がある。
【特許文献１】特開平１１−２６３３４７号公報
【特許文献２】特開２００１−００８８３８号公報
【発明の開示】
【発明が解決しようとする課題】
【０００３】
しかし、特許文献１、２に記載のものは、取手を起伏させる支持ピンが外部に露出するので、不体裁である上に、支持ピンが突出して引っ掛かる危険があるし、脱落して紛失することもあり、メンテナンスフリーになりにくい。また、取手を把持してボトル本体を取り扱う負荷が支持ピンにより外装部材に支持している局部に集中して働きやすく、早期故障の原因になりやすい。
【０００４】
本発明の目的は、起伏できる取手を体裁がよく使用に安全でメンテナンスフリーに設けられるハンディ型のステンレスボトルと、その取手の取付け方法を提供することにあり、取手による支持強度を高めることをさらなる目的とするものである。
【課題を解決するための手段】
【０００５】
上記の目的を達成するために、本発明のハンディ型のステンレスボトルは、ステンレス製で断熱構造を有したボトル本体と、このボトル本体の外面に装着された樹脂製の外装部材と、この外装部材に起伏できるように支持された取手とを備えたハンディ型のステンレスボトルであって、ボトル本体の胴部に軸線方向に当てがい、上下端部寄りに少なくともその外面に開放するように設けた切り込み部を設けた縦向き外装部材と、この縦向き外装部材の切込み部に対し上下にある脚部の端部を嵌め合せて、縦向き外装部材の上下の端面から前記各切り込み部およびそこに嵌め合わせた脚部の端部を貫通し、かつ、切り込み部を越えるまで差し込んだピンにより起伏できるように支持した取手と、ボトル本体の底部と、胴上部、肩部またはおよび口部と、のまわりに周方向に連続して装着されて縦向き外装部材の上下端部を支持した上下外装部材とを備えたことを１つの特徴としている。
【０００６】
このような構成では、ボトル本体がステンレス製で断熱構造を有したものであることにより、美麗で腐食しにくい金属表面を持ちながら、比較的熱伝導性が低いことにより断熱構造の如何を問わず断熱機能に好適であるが、金属製でかつ加工硬化の点から複雑な形状や構造を持ちにくいのを、ボルト本体に装着した樹脂製の外装部材を利用して取手を支持することで対応することができる。特に、外装部材がボトル本体の上下に周方向に連続して装着された上下外装部材と縦向き外装部材よりなり、この縦向き外装部材における、その外面に開放するように設けた切り込み部内に取手の脚部の端部を起伏できるように支持するピンの差し込み側となる上下端部が上下外装部材に支持されて少なくとも隠れるので、ピンは外部に露出しないし、外部に飛び出したり、抜け落ちたりすることを防止することができる。しかも、支持は縦向き外装部材の縦および幅寸法を利用してピンに対する両持ち支持域、および脚部の端部の支持幅を十分に確保して必要な支持強度が制限無く、また、ボトル本体まわり外方へのかさ張りなしに得られる。
【０００７】
以上のようなハンディ型のステンレスボトルの取手を取付ける方法としては、ボトル本体の胴部に軸線方向に当てがう縦向き外装部材の上下端部寄りに少なくともその外面に開放するように設けた切り込み部に対し、取手上下にある脚部の端部を嵌め合せて、縦向き外装部材の上下の端面から前記各切り込み部およびそこに嵌め合わせた脚部の端部を貫通し、かつ、切り込み部を越えるまでピンを差し込むことにより、取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを１つの特徴として実現することができる。
【０００８】
このような構成では、組立て上、縦向き外装部材と取手は予め組み立てた単一部品、いわば取手ユニットとして製作し、また、取り扱うことができ、ボトル本体に対し上下外装部材を取付けるのと同時に取手ユニットをその縦向き外装部材の上下端部にて支持するだけで、取手を簡単かつ短時間に取付けられる。
【０００９】
本発明のハンディ型のステンレスボトルは、また、ステンレス製で断熱構造を有したボトル本体と、このボトル本体の外面に装着された樹脂製の外装部材と、この外装部材に起伏できるように支持された取手とを備えたハンディ型のステンレスボトルであって、ボトル本体の胴部に軸線方向に当てがい、上下端部寄りの各左右に少なくとも外面に開放するように設けた切り込み部を設けた縦向き外装部材と、この縦向き外装部材の各切り込み部に対し、上下にある脚部の端部の対応するものを嵌め合せて、縦向き外装部材の上下の端面から前記各切り込み部およびそこに嵌め合わせた脚部の端部を貫通し、かつ、切り込み部を越えるまで差し込んだピンにより起伏できるように支持した左右一対の取手と、ボトル本体の底部と、胴上部、肩部またはおよび口部と、のまわりに周方向に連続して装着されて縦向き外装部材の上下端部を支持した上下外装部材とを備えたことを他の特徴としている。
【００１０】
このような構成では、前記１つの特徴による利点を有したまま、取手を左右一対支持して、ボトル本体の取手によるピンへの支持負荷を４点に分散して軽減するのに併せ、それら左右一対の取手を併せ把持することによりボトル本体をより安定に取り扱うことができる。
【００１１】
以上のようなハンディ型のステンレスボトルの取手を取り付ける方法としては、ボトル本体の胴部に軸線方向に当てがう縦向き外装部材における上下端部寄りの各左右に少なくとも外面に開放するように設けた切り込み部のそれぞれに対し、左右一対の取手にある上下の脚部の端部の対応するものを嵌め合せて、縦向き外装部材の上下の端面から前記各切り込み部およびそこに嵌め合わせた脚部の端部を貫通し、かつ、切り込み部を越えるまでピンを差し込むことにより、各取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを他の特徴として実現することができる。
【００１２】
このような構成では、左右一対の取手を取付けるにも、組立て上、縦向き外装部材と取手は予め組み立てた単一部品、いわば取手ユニットとして製作し、また、取り扱うことができ、ボトル本体に対し上下外装部材を取付けるのと同時に取手ユニットをその縦向き外装部材の上下端部にて支持するだけで、取手を簡単かつ短時間に取付けられる。
【００１３】
上下外装部材が、縦向き外装部材の上下端部を、その少なくとも前記ピンを差し込んでいる部分を含んで嵌り合って支持している、さらなる構成では、
縦向き外装部材がその上下端部におけるピンの差し込み部を含んで、上下外装部材と嵌まり合い支持され、ピンの差し込み部が上下外装部材によって覆われるので、ピンの露出や飛び出し、抜け落ちをより確実に防止することができる。しかも、縦向き外装部材の上下端部の上下外装部材との嵌まり合い幅に応じて、取手によってボトル本体を支持したときの上下外装部材による縦向き外装部材に対する支持負荷が周方向に分散されるので、この支持負荷に対する必要強度も縦向き外装部材の幅寸法を利用して特に制限無く、また、ボトル本体まわり外方へのかさ張りなしに得られる。
【００１４】
縦向き外装部材の上下端部は、その少なくとも中央部に上下外装部材と嵌り合うように軸線方向に突出した縦向き係合部を有している、さらなる構成では、
縦向き外装部材の上下端部が、上下外装部材と嵌まり合って支持されるのに、中央部から軸線方向に突出する縦向き係合部を有していると、この縦向き係合部が先導して前記嵌まり合いを容易に行わせられる上、縦向き係合部は上下外装部材との深い軸線方向の嵌め合い代を与えて、その支持をより確実にし、かつ支持強度を高められる。
【００１５】
縦向き外装部材の上下端部が、縦向き係合部の基部から左右に延びて上下外装部材と嵌まり合う横向き係合部をなし、その上面に左右に配設された縦向き係合部よりも低い補強リブの間に前記ピンの差込穴を有している、さらなる構成によれば、
縦向き外装部材の上下端部が、上下外装部材と嵌まり合って支持されるのに、縦向き係合部の基部から左右に延びた横向き係合部を有していると、この横向き係合部は前記縦向き係合部と上下外装部材との先導した嵌まり合いによる案内を受けて、上下外装部材と確実に嵌まり合い、必要な支持強度を縦向き外装部材の上下端部の上下外装部材との嵌まり合い幅に応じて特に制限無く、また、ボトル本体まわり外方へのかさ張りなく得ることが容易に実現する。
【００１６】
なお、上記ハンディ型のステンレスボトルの取手の取付け方法は、また、ボトル本体の胴部に軸線方向に当てがう縦向き外装部材に少なくともその外面に開放するように設けた切り込み部に対し取手にある脚部の端部を嵌め合せて、縦向き外装部材の端面から前記切り込み部およびそこに嵌め合わせた脚部の端部を貫通し、かつ、切り込み部を越えるまでピンを差し込むことにより、取手をピンまわりに起伏できるように支持した後、縦向き外装部材の上下の端部を、ボトル本体の底部と、胴上部、肩部またはおよび口部と、のまわりに装着した周方向に連続する樹脂製の上下外装部材によってボトル本体外面に支持し、取手をボトル本体に取り付けることを基本的構成とする今１つのハンディ型のステンレスボトルにおける取手の取付け方法をも提供するものであり、取手の脚の数、取手の数は特に問われない。
【００１７】
本発明のそれ以上の目的および特徴は、以下の詳細な説明および図面の記載によって明らかになる。本発明の特徴は、それ単独で、あるいは可能な限り種々な組合せで複合して採用することができる。
【発明の効果】
【００１８】
本発明のハンディ型のステンレスボトルの１つの特徴によれば、ステンレス製で断熱構造を有したボトル本体に起伏できる取手を樹脂製の外装部材を利用してピンで支持するのに、ピンが外部に露出しないし、外部に飛び出したり、抜け落ちたりすることを防止できるので、使用に安全でかつメンテナンスフリーに設けられる。しかも、取手のピンによる必要な支持強度が制限無く、また、ボトル本体まわり外方へのかさ張りなしに得られるので、小型のまま耐久性の高いものとすることができる。
【００１９】
また、組立て上、縦向き外装部材と取手は予め組み立てた単一部品として取り扱い、ボトル本体に対し上下外装部材を取付けるのと同時に取手ユニットをその縦向き外装部材の上下端部にて支持するだけで、取手を簡単かつ短時間に取付けられ、生産性の向上、低コスト化が図れる。
【００２０】
本発明のハンディ型のステンレスボトルの他の特徴によれば、前記１つの特徴による利点を有したまま、取手を左右一対支持して、ボトル本体の取手によるピンへの支持負荷を４点に分散して軽減するのに併せ、それら左右一対の取手を併せ把持することによりボトル本体をより安定に取り扱うことができる。
【００２１】
また、組立て上、左右一対の取手を取付けるにも、組立て上、縦向き外装部材と取手は予め組み立てた単一部品として取り扱い、ボトル本体に対し上下外装部材を取付けるのと同時に取手ユニットをその縦向き外装部材の上下端部にて支持するだけで、取手を簡単かつ短時間に取付けられ、生産性の向上、低コスト化が図れる。
【００２２】
上下外装部材が、縦向き外装部材の上下端部を、その少なくとも前記ピンを差し込んでいる部分を含んで嵌り合って支持している、さらなる構成によれば、
ピンの露出や飛び出し、抜け落ちをより確実に防止し、さらなる使用の安全、メンテナンスフリー化が図れる。しかも、取手によってボトル本体を支持したときの上下外装部材と縦向き外装部材との間における支持負荷に対する必要強度も特に制限無く、また、ボトル本体まわり外方へのかさ張りなしに得られるので、小型のまま耐久性が向上する。
【００２３】
縦向き外装部材の上下端部は、その少なくとも中央部に上下外装部材と嵌り合うように軸線方向に突出した縦向き係合部を有している、さらなる構成によれば、
縦向き外装部材の上下端部と上下外装部材との嵌まり合いによる支持が、縦向き係合部の先導にて容易となり短時間に確実に達成されるので、生産性、歩留まりが向上する上、縦向き係合部による上下外装部材との軸線方向の深い嵌め合い代にて、その支持強度を高められる。
【００２４】
縦向き外装部材の上下端部が、縦向き係合部の基部から左右に延びて上下外装部材と嵌まり合う横向き係合部をなし、その上面に左右に配設された縦向き係合部よりも低い補強リブの間に前記ピンの差込穴を有している、さらなる構成によれば、
縦向き外装部材の横向き係合部を含む上下端部と上下外装部材との嵌まり合いによる支持が、縦向き係合部の先導にて容易となり短時間に確実に達成されるので、生産性、歩留まりが向上する上、横向き係合部によって、必要な支持強度を縦向き外装部材の上下端部の上下外装部材との嵌まり合い幅に応じて特に制限無く、また、ボトル本体まわり外方へのかさ張りなく得ることが容易に実現する。
【発明を実施するための最良の形態】
【００２５】
以下、本発明の実施の形態に係るステンレスボトルについて図１〜図１３を参照しながら説明し、本発明の理解に供する。しかし、以下の説明は本発明の具体例であって、特許請求の範囲の記載の内容を限定するものではない。
【００２６】
本実施の形態のステンレスボトルは、図１〜図６に示すように、少なくとも外壁１ａがステンレス製で断熱構造を有したボトル本体１と、このボトル本体１の外面に装着された樹脂製の外装部材２と、この外装部材２に起伏できるように支持された取手３とを備えたハンディ型のステンレスボトルである。ボトル本体１は図４、図５、図７に示すようにステンレスどうしの外壁１ａと内壁１ｂとの間を真空断熱空間１ｃとした断熱構造としてあるが、これに限られることはなく、内壁１ｂを他の金属材料や非金属材料としたり、内外壁１ａ、１ｂ間を断熱材料を充填した断熱構造としたものや、断熱材料を充填して真空空間としたものなど種々な断熱構造を採用することができる。本実施の形態のステンレスボトルは、特に、図１、図２、図５〜図７に示すボトル本体１の胴部１ｅに軸線方向に当てがい、上下端部３４寄りに少なくともその外面に開放するように設けた切り込み部１０１を設けた縦向き外装部材２１と、この縦向き外装部材２１の切込み部１０１に対し上下にある脚部３ａの端部を嵌め合せて、縦向き外装部材２１の図２、図７に示す上下の端面１０２から前記各切り込み部１０１およびそこに嵌め合わせた脚部３ａの端部を貫通し、かつ、切り込み部１０１を越えるまで差し込んだピン７１により起伏できるように支持した取手３と、ボトル本体１の底部１ｄと、胴部１ｅの上部、肩部１ｆまたはおよび口部１ｇと、のまわりに周方向に連続して装着されて縦向き外装部材２１の上下端部３４を支持した上下外装部材２３、２４とを備えている。
【００２７】
図示する例の上外装部材２３は環状で、ボトル本体１の肩部１ｆから口部１ｇの口縁の内回りまで連続して覆い、内外壁１ａ、１ｂの接合縁１ｈが露出しないようにしている。上外装部材２３は、接合縁１ｈの内まわりに被さっている部分に栓２５を着脱できるように装着するねじ部２６を形成し、外まわりには樹脂製のキャップ２７を着脱できる用に装着するねじ部２８を形成し、栓２５やキャップ２７を装着させるためのねじがボトル本体１の側で不要となるようにしている。また、上外装部材２３自体もボトル本体１の口部１ｇの外まわりに溶接付けした斜め下向きの舌片状などとした係止部２９に対し係合部３１を弾性係合ないしは無理嵌めして装着し、ボトル本体１の側のねじを不要としている。一方、下外装部材２４は、椀状に形成してボトル本体１底部の下面および側面まわりを覆うようにしてあり、外壁１ａの下部まわりにリブ状に一体形成した係止部３２に対し、係合部３３を弾性係合ないしは無理嵌めして装着し、ボトル本体１側のねじを不要としている。これらによって、ボトル本体１はねじ部が一切不要な単純形状のものとなり、加工および組み立て双方から生産性のよいものとなる。これら上下外装部材２３、２４はボトル本体１の口部１ｇまわりや底部１ｄまわりを装飾し、また保護することができるし、他の付帯物の取り付けや機能上必要な形状を金属製のボトル本体１に変わって容易かつ安価に得られる。特に、ボトル本体１の底部側面まわりおよび下面まわりを覆う椀状の下外装部材２４は、前記縦吊りとなるボトル本体１の落下面となる底面ないしは下面まわりを保護できる利点がある。
【００２８】
このようにボトル本体１がステンレス製で断熱構造を有したものであることにより、美麗で腐食しにくい金属表面を持ちながら、比較的熱伝導性が低いことにより断熱構造の如何を問わず断熱機能に好適であるが、金属製でかつ加工硬化の点から複雑な形状や構造を持ちにくいのを、ボルト本体１に装着した樹脂製の外装部材２を利用して取手３を支持することで対応できる。特に、外装部材２がボトル本体１の上下に周方向に連続して装着された上下外装部材２３、２４と縦向き外装部材２１よりなり、この縦向き外装部材２１における、その外面に開放するように設けた切り込み部１０１内に取手３の脚部３ａの端部を起伏できるように支持するピン７１の差し込み側となる上下端部３４が上下外装部材２３、２４に支持されて少なくとも隠れる。この結果、ピン７１は外部に露出しないし、外部に飛び出したり、抜け落ちたりすることを防止することができる。しかも、支持は縦向き外装部材２１の縦および幅寸法を利用してピン７１に対する両持ち支持域、および脚部３ａの端部の支持幅を十分に確保して必要な支持強度が制限無く、また、ボトル本体１まわり外方へのかさ張りなしに得られる。
【００２９】
本実施の形態の場合、前記切り込み部１０１は図２に示すように、縦向き外装部材２１の側縁部２１ａから切り欠いた状態に形成していて、取手３をその脚部３ａの端部にてピン７１により起伏できるように支持するのに、図５（ｂ）に実線で示すように取手３の脚部３ａおよび両脚部３ａ間の把持部３ｂがボトル本体１の胴部１ｅの外面に沿い、または接触する格納位置と、図５（ｂ）に仮想線で示すように起き上がった把持位置との間で起伏できるように支持するのに好適であり、取手３をボトル本体１の胴部１ｅまわりに最もかさ低く格納することができる。しかし、基本的には、取手３はボトル本体１の外面に沿い、あるいは接触するように格納される必要はなく、本例のような側縁２１ａからの切り欠き型のものに代えて、同じ側面形態で溝状としたものでもよい。場合によっては、局部的な窓部や凹部として脚部３ａの端部を受け入れ、ピン７１により支持する形態とすることもできる。また、取手３をピン７１により支持するための切り込み部１０１は局部的な窓部や凹部であるほど、縦向き外装部材２１の上下外装部材２３、２４によって支持されるための大きな嵌め合い代や強度を確保しやすい利点がある。
【００３０】
以上のようなハンディ型のステンレスボトルの取手３を取付ける方法としては、ボトル本体１の胴部１ｅに軸線方向に当てがう縦向き外装部材２１の上下端部３４寄りに少なくともその外面に開放するように設けた切り込み部１０１に対し、取手３の上下にある脚部３ａの端部を嵌め合せて、縦向き外装部材２１の上下の端面１０２から前記各切り込み部１０１およびそこに嵌め合わせた脚部３ａの端部を貫通し、かつ、切り込み部１０１を越えるまでピン７１を差し込むことにより、取手３をピン７１まわりに起伏できるように支持した後、縦向き外装部材２１の上下端部３４を、ボトル本体１の底部１ｄと、胴部１ｅの上部、肩部１ｆまたはおよび口部１ｇと、のまわりに装着した周方向に連続する樹脂製の上下外装部材２３、２４によってボトル本体外面１に支持し、取３手をボトル本体１に取り付けることにより実現することができる。これにより、組立て上、縦向き外装部材２１と取手３は予め組み立てた単一部品、いわば取手ユニット８２として製作し、また、取り扱うことができ、ボトル本体１に対し上下外装部材２３、２４を取付けるのと同時に取手ユニット８２をその縦向き外装部材２１の上下端部３４にて支持するだけで、取手３を簡単かつ短時間に取付けられる。
【００３１】
さらに、本実施の形態では、取手３を取付ける切り込み部１０１は、縦向き外装部材２１の上下端部３４寄りの各左右に少なくとも外面に開放するように設け、この縦向き外装部材２１の各切り込み部１０１に対し、左右一対の各取手３の上下にある脚部３ａの端部の対応するものを嵌め合せて、上記の如くピン７１により支持している。これにより、前記した場合に加え、さらに、取手３を左右一対支持して、ボトル本体１の取手３によるピン７１への支持負荷を４点に分散して軽減するのに併せ、それら左右一対の取手３の把持部３ｂを併せ把持することによりボトル本体１をより安定に取り扱うことができる。特に、図５（ｂ）に示すように把持部３ｂを寄せ合わせて把持するのが、把持およびボトル本体１の安定な取り扱い上好適である。
【００３２】
このように左右一対の取手３を設ける場合でも、組立て上、縦向き外装部材２１と左右一対の取手３は予め組み立てた単一部品、いわば取手ユニット８２として製作し、また、取り扱うことができ、ボトル本体１に対し上下外装部材２３、２４を取付けるのと同時に取手ユニット８２をその縦向き外装部材２１の上下端部３４にて支持するだけで、左右一対の取手３を簡単かつ短時間に取付けられる。
【００３３】
また、上下外装部材２３、２４は図２、図４、図６、図７に示すように、縦向き外装部材２１の上下端部３４を、その少なくとも前記ピン７１を差し込んでいる部分を含んで嵌り合って支持している。このように、縦向き外装部材２１がその上下端部３４におけるピン７１の差し込み部を含んで、上下外装部材２３、２４と嵌まり合い支持されることで、ピン７１の差し込み部が上下外装部材２３、２４によって覆われる。この結果、ピン７１の露出や飛び出し、抜け落ちをより確実に防止することができる。しかも、縦向き外装部材２１の上下端部３４の上下外装部材２３、２４との嵌まり合い幅に応じて、取手３によってボトル本体１を支持したときの上下外装部材２３、２４による縦向き外装部材２１に対する支持負荷が周方向に分散される。この結果、この支持負荷に対する必要強度も縦向き外装部材２１の幅寸法を利用して特に制限無く、また、ボトル本体１まわり外方へのかさ張りなしに得られる。
【００３４】
特に、本実施の形態では、縦向き外装部材２１の上下端部３４は図２、図４、図６に示すように、その少なくとも中央部に上下外装部材２３、２４と嵌り合うように軸線方向に突出した縦向き係合部３４ｂを有している。これにより、縦向き外装部材２１の上下端部３４が、上下外装部材２３、２４と嵌まり合って支持されるのに、中央部から軸線方向に突出する縦向き係合部３４ｂが先導して前記嵌まり合いを容易に行わせられる上、縦向き係合部３４ｂが上下外装部材２３、２４との図４、図６に示すような深い軸線方向の嵌め合い代を与えて、その支持をより確実にし、かつ支持強度を高められる。
【００３５】
さらに、縦向き外装部材２１の上下端部３４は図２、図４、図６に示すように、縦向き係合部３４ｂの基部から左右に延びて上下外装部材２３、２４と嵌まり合う横向き係合部３４ａをなし、その上面に図６、図９に示すように左右にコの字状のパターンなどを持って配設された縦向き係合部３４ｂよりも低い補強用のリブ３４ｃの間に前記ピン７１の相通孔１０３を有したものとしている。このように、縦向き外装部材２１の上下端部３４が、上下外装部材２３、２４と嵌まり合って支持されるのに、縦向き係合部３４ｂの基部から左右に延びた横向き係合部３４ａを有していると、この横向き係合部３４ａは前記縦向き係合部３４ｂと上下外装部材２３、２４との先導した嵌まり合いによる案内を受けて、上下外装部材２３、２４と確実に嵌まり合い、必要な支持強度を縦向き外装部材２１の上下端部３４の上下外装部材２３、２４との嵌まり合い幅に応じて特に制限無く、また、ボトル本体１まわり外方へのかさ張りなく得ることが容易に実現する。
【００３６】
なお、本発明における取手３の取付け方法としては、基本的には、取手３の脚部３ａの数、取手３の数は特に問われない。取手３の脚部３ａは１つでもよいし、３つ以上あってもよい。取手３の脚部３ａの数、および取手３の数は多いほど支持負荷を分散して受けられるので有利となる。
【００３７】
ここで、ボトル本体１は、軽量化、低コスト化の面からステンレス壁、つまり外壁１ａの肉厚を極力抑えるのが有利であるが、変形剛性が低下し胴部まわりは特に変形しやすく不体裁になったり、真空断熱空間１ｃを有するものでは外壁１ａが内壁１ｂに接触して断熱性を損なったりすることがあるものの、縦向き外装部材２１および取手３は、ボトル本体１の弱く変形しやすい胴部１ｅを外力から保護するのに有効であることから、図１、図４、図５に示すように、取手３を支持した縦向き外装部材２１と、取手３を支持していないが同じ樹脂製の縦向き外装部材２２とをボトル本体１の周方向に複合した外装部材２としてさらに配してある。また、この縦向き外装部材２２は、縦向き外装部材２１と同様に、ボトル本体１に装着した前記上下外装部材２３、２４によりそれらの上下端部３５を支持し、縦向き外装部材２１、２２間のボトル本体１の外壁１ａ表面を図１〜３、図５、図６に示すように露出させている。このような条件を満足する基本的な構成としては、取手３を支持していない縦向き外装部材２２は複数あってもよい。また、上下外装部材２３、２４は縦向き外装部材２１、２２を支持できるようにボトル本体１の上下のまわり、ないしは周方向に連続して外装されればよい。
【００３８】
以上のように、取手３を支持した縦向き外装部材２１と、取手３を支持していない縦向き外装部材２２とがボトル本体１の周方向に配され、これらの上下には周方向に連続して前記縦向き外装部材２１、２２を支持する樹脂製の上下外装部材２３、２４が配されて、ボトル本体１の胴部１ｅを重量化の問題なく格子状に覆うことができる。この結果、取手３を支持した胴部カバー１つが配されるだけの場合のような胴部１ｅまわりでの意匠上の、ガード上のアンバランスが解消し、商品価値を高めるのに併せ、吊り持っての携行時や、各種の取り扱い時にボトル本体１、特に、弱い胴部１ｅが他の物に当って変形するような確率を低減することができる。しかも、取手３を支持する縦向き外装部材２１がボトル本体１の胴部１ｅ全周を覆う場合に比し、意匠上、保護機能上立体的な形状とする場合を含めコストが低減するし、ボトル本体１の胴部１ｅが縦向き外装部材２１、２２の数に応じ図１〜図３、図５に示すように周方向に分散して露出するので、丸洗い時などでの水抜けや水切りに有利であるし、ボトル本体１の表面状態、例えば汚れ具合や錆び具合、お手入れ時期などをむらなく容易に見定めることができ、お手入れに便利で清潔に保ちやすい。
【００３９】
図示する例では、また、取手３を支持した縦向き外装部材２１と、取手３を支持していない縦向き外装部材２２との１つずつを、ボトル本体１の相対向する２ヶ所に配して、最少カバー数に限定し、その分コストを抑えられるようにしながらも、取手３を支持した縦向き外装部材２１と、取手３を支持していない縦向き外装部材２２との１つずつが、上下外装部材２３、２４とともにボトル本体１の胴部１ｅを格子状に覆って、取手３を支持した胴部カバー１つが配されるだけの場合のような胴部まわりでの意匠上の、ガード上のアンバランスを解消することを実現する。
【００４０】
ところで、縦向き外装部材２１、２２によりボトル本体１の、特に胴部１ｅを保護するのに、縦向き外装部材２２を設ける数には関係なく、ボトル本体１の胴部１ｅの外面が図５（ａ）に実線で示すように隣接し合う縦向き外装部材２１、２２の各対向縁２１ａ、２２ａの最外面どうしを結ぶ線４１よりも外にあると、他の物が胴部１ｅに当るのを防止しきれない。そこで、ボトル本体１の胴部１ｅの外面が図５（ａ）に仮想線で示すように隣接し合う縦向き外装部材２１、２２の各対向縁２１ａ、２２ａの最外面どうしを結ぶ線４２以内に位置する条件を満足した構成とするのが好適である。この条件を満足するには胴部カバー数が最少の２つに近づく程、縦向き外装部材２１、２２の幅、つまり総合幅が大きくなる。この幅は縦向き外装部材２１、２２の全長において満足するに越したことはないが、凹または凸の縁形状、あるいは凹凸が連続した縁形状にて部分的に満足してもよい。当然のことながら、満足個所が多いほど保護機能が高くなる。なお、ボトル本体１の周方向の露出幅は、ボトル本体１の径や縦向き外装部材２１、２２の厚み設定、特に縁部２１ａ、２２ａの厚みによって異なるものの、図示する場合でいうと平面より見た露出角度範囲は７０〜１１０°程度が、コスト面および保護機能の両面から好ましい範囲といえる。
【００４１】
また、図１〜図３、図５（ａ）、図６に示すように、ボトル本体１の周方向における、前記相対向して配された取手３を支持した縦向き外装部材２１と、取手３を支持していない１つの縦向き外装部材２２との間の各位置に、吊紐の連結部６１を設けてある。このようにすると、連結部６１に連結した吊紐を肩に掛けたり、手でぶら下げたりしてボトル本体１を吊り持って携行するのに、ボトル本体１は連結部６１が人体に対して前後に位置する向きとなり、これら前後の連結部６１間の人体側と反人体側とに２つの縦向き外装部材２１、２２が分散して位置する関係を満足する。この結果、吊り持ち時に生じやすいボトル本体１の胴部１ｅに人体が当ったり、側方から他のものが当ったりするのを防止することができ、吊り持ち時の保護機能が向上する。この場合、図５（ａ）に示すように吊紐の各連結部６１がボトル本体１のＸ−Ｘ方向に相対向する２ヶ所に位置し、このＸ−Ｘ方向が、取手３を支持した縦向き外装部材２１と取手３を支持していない１つの縦向き外装部材２２との対向方向であるＹ−Ｙ方向と、平面より見てほぼ直交するようにしている。この結果、２つの縦向き外装部材２１、２２が人体側と反人体側により正対する状態になるので、吊り持ち時の保護機能がより向上する。
【００４２】
また、連結部６１が図１、図３、図５、図６に示すようにボトル本体１の胴部１ｅ外面よりも外方に突出する構成としてあることにより、縦向き外装部材２１、２２のない周方向位置にて胴部１ｅ外へ張り出し、他の物が露出している胴部１ｅに接触してくるような場合でも、連結部６１が先に当接することによって、他の物がボトル本体１の胴部１ｅに当接するのを防止することができる。これにより、吊り持ち時は勿論、他の取り扱い時も含め保護機能がさらに向上する。本例の連結部６１はボトル本体１を縦吊りする関係から、その安定性上、ボトル本体１の上側に設けるのが好適であり、図６に示すように上外装部材２３に一体成形した頭部６１ａ付きのピンとしてある。これにより、ボトル本体１が万一にも頭部を下にして落下するようなことがあると、頭部を下にして落下した後ボトル本体１が胴部が接地する安定姿勢への横転時に胴部が地面や床面に当接して変形するようなことを防止しやすい。
【００４３】
吊紐を前記連結部６１に連結する図１、図３、図５、図６、図１０に示す連結具６２は、１つの例として樹脂製で、図示しない吊紐との連結を行うスリット状の連結穴６２ｂと、連結部６１との連結を行う瓢箪型をした連結穴６２ａとを有している。連結穴６２ａは図１０に示すように連結部６１の頭部６１ａと着脱できるように嵌まり合える径を有した着脱部６２ａ１と、頭部６１ａよりも径が小さくそれと嵌まり合わず、連結部６１のピン部６１ｂと嵌まり合って連結状態になる連結部６２ａ２とが、連結部６２ａ２の径よりも少し小さい幅の狭隘部をなした外れ止め部６２ａ３を介して連続するようにしてある。連結具６２の連結部６１との連結は、連結穴６２ａの着脱部６２ａ１を連結部６１の頭部６１ａに嵌め合わせた後、外れ止め部６２ａ３を連結部６１のピン部６１ｂに対して反対側へ弾性的に乗り越えさせて、連結穴６２ａの連結部６２ａ２を連結部６１の頭部６１ａの下に潜らせてピン部６１ｂに係合させることにより、連結部６２ａ２が頭部６１ａと対向し合って抜け止めされる連結状態となり、外れ止め部６２ａ３とピン部６１ｂとの係合によって連結部６２ａ２が着脱部６２ａ１側に不用意に外れるのを防止されて前記連結状態に安定する。連結状態にある連結具を、前記外れ止め部６２ａ３による外れ止め機能に打ち勝って、連結穴６２ａにおけるピン部６１ｂとの連結部６１ａ２での係合位置から、着脱部６２ａ１での係合位置に移動させ、着脱部６２ａ１にて頭部６１ａから外すと、前記連結を解除することができる。
【００４４】
ここで、連結部６２ａ２および外れ止め部６２ａ３は、図２、図３に示すように着脱部６２ａ１よりも厚みが小さく、かつ、外れ止め部６２ａ３側から連結部６２ａ２側に楔断面を持って増厚するようにしていて、連結具６２の連結部６１に対する着脱位置から連結位置への移動を容易にしながら、連結位置では連結部６２ａ２がピン部６１ｂとの係合状態にて頭部６１ａとピン部６１ｃの基部との間に強く入り込み、これによっても連結状態に安定しやすくしている。一方、外れ止め部６２ａ３は連結部６２ａ２よりも厚みが小さい分だけ、ピン部６１ｂが通過することによる拡張作用をより柔軟に弾性変形して対応できるようになるが、本例では、さらに、外れ止め部６２ａ３の内側に透孔６２ａ４を設けることによって、前記弾性変形がより柔軟に行われダメージを受け難くしている。この結果、連結具６２の寿命が延びる。
【００４５】
取手３を支持した縦向き外装部材２１は、図２、図５（ｂ）、図６に示すように、一対の取手３の両脚部３ａ端部を隣接位置にてピン７１により枢支して、互いの両脚部３ａ間の把持部３ｂが図５（ｂ）に仮想線で示すように寄せ合わされて起立する把持位置と、互いの把持部３ｂが図２、図５（ｂ）に実線で示すように離れ合ってボトル本体１の外面に図５（ｂ）に実線で示すように達するよう伏倒した格納位置との間で起伏できるようにするのに併せ、前記切り込み部１０１を利用した取手３との関係を利用して、格納位置にある一対の把持部３ｂ間に図１、図２に示すように嵌まり合う形状を有したものとしている。これにより、一対の取手３は、これを支持する縦向き外装部材２１との重なりなしに縦向き外装部材２１の両側におけるボトル本体１の胴部１ｅ外面に接する格納位置にまで伏倒させられ、取手および胴部カバーが重なり合う格納状態の場合に比しボトル本体１の胴部１ｅまわりにかさ低く収まる。しかも、一対の取手３は脚部３ａの長さに応じて把持部３ｂを把持しやすい図５（ｂ）に仮想線で示すような、縦向き外装部材２１上の把持位置にまで起き上がって寄せ合わされる。従って、取手３を把持しての取り扱いを容易にする。また、格納した一対の取手３の把持部３ｂ間は脚部３ａの長さに応じて図２に示すように離れるが、取手３を支持している縦向き外装部材２１が格納位置にある一対の把持部３ｂ間に嵌まり合う形状を有していることにより、取手３およびそれを支持する縦向き外装部材２１どうしは、一体感よく協働してボトル本体１のガード部を構成することができる。
【００４６】
また、取手３を支持した縦向き外装部材２１の厚みは、図４、図５に示すように取手３を支持していない縦向き外装部材２２の厚みよりも大きくしてある。このようにすると、取手３を支持した縦向き外装部材２１は取手３との一体感、あるいは格納位置の取手３よりも図５（ｂ）に実線で示し、図１２に仮想線で示すように厚くして取手３が他の物に当ることから保護する機能を確保しながら、取手３を支持していない縦向き外装部材２２はそのような制約から解放して、ボトル本体１の保護機能を確保できる厚みを満足する程度の厚みにすることで、徒に厚くなるような無駄やかさ張りを回避することができる。
【００４７】
ここで、上下外装部材２３、２４に支持される縦向き外装部材２１、２２につき詳述する。取手３を支持している縦向き外装部材２１は、ボトル本体１の胴部１ｅの外面を保護する上に、取手３を把持して取り扱うときの内容液が入った重いボトル本体１側の負荷に耐えて支持され、また、取手３を支持する必要がある。そこで、図４、図７、図１０、図１１に示すような上下部増厚部間をそれらよりも減厚部とした縦断面形状と、図１２（ａ）に示すような上下端部の増厚部横断面形状、および図１２（ｂ）に示すような上下端部間での減厚部横断面形状とを有し、裏面の凹部２１ｂまわりの周壁部２１ｃにて胴部１ｅの外面に当接する。これにより、縦向き外装部材２１に局部的に働く外力でも周壁部２１ｃの周方向に分散して胴部１ｅに伝達するようになるので、胴部１ｅに変形を及ぼしにくい。一方、縦向き外装部材２１自体の強度を厚みを抑えて確保するのに図示するような幾つかの補強リブ２１ｄを主として縦通形成し、胴部１ｅに外力を伝達しないように胴部１ｅの外面との間にギャップ７２ができるようにしてある。補強リブ２１ｄは必要に応じて横断方向にも、他の方向にも、また各方向に部分的にも設けることができる。
【００４８】
また、縦向き外装部材２１の上下外装部材２３、２４による支持強度を高めるための前記横向き係合部３４ａが、前記上下端部３４は図８〜図１０に示すように、前記切り込み部１０１によってできる上下端部３４の中央部が上下に突出するように広がった連結部７３の突出端にて繋がり、周方向両側に円弧状に延びる形態にて形成され、また、前記縦向き係合部３４ａが上下の横向き係合部３４ａの中央部から上方および下方に軸方向に延びて一体形成されている。この縦向き係合部３４ｂを図４、図６に示すように上下の外装部材２３、２４の内側に形成した縦向きの係合穴２３ａ、２４ａに挿入することにより、縦向き係合部３４ｂまわりのどの放射状方向にも確固に支持されてボトル本体１側の負荷を受ける状態と、これら縦向き係合部３４ｂと係合穴２３ａ、２４ａとの嵌まり合いが先導となって横向き係合部３４ａが上下の外装部材２３、２４の周壁２３ｂと胴部１ｅとの間に嵌まり合い、ボトル本体１側の負荷を周壁２３ｂとの間で周方向に分散して受ける状態とを実現し、縦向き外装部材２１がそれに支持した取手３によってボトル本体１を取り扱うときに必要な支持強度が、縦向き外装部材２１と上下外装部材２３、２４との間の支持構造部に十分得られる。
【００４９】
このような組み立てにおいて上下外装部材２３、２４どうしは、互いの係合穴２３ａ、２４ａがボトル本体１の軸線方向に対向し合う必要がある。これには、例えば、上下外装部材２３、２４の一方をボトル本体１に先に装着して、これに、ボトル本体１に沿わせた縦向き外装部材２１の上下の縦向き係合部３４ｂの対応する側を嵌め合せておき、次いで、縦向き外装部材２１の他方の縦向き係合部３４ｂに上下外装部材２３、２４の他方を位置合わせしながらボトル本体１に装着すればよく、この位置合わせを容易にするため、上下外装部材２３、２４の後で装着する側、本例では下外装部材２４の側に図４に示すような自身の係合穴２４ａと係合させるべき縦向き外装部材２１の下側の縦向き係合部３４ｂとの対向関係を外部から視認させる水抜き孔兼用の透孔１８１を設けて、互いの位置関係を外部から確かめながら下外装部材２４をボトル本体１に装着しながら縦向き外装部材２１の縦向き係合部３４ｂに自身の係合穴２４ａを嵌め合わせるようにしている。
【００５０】
さらに、縦向き外装部材２１による取手３の支持強度を高めるために、図１、図２、図４、図７〜図１２に示すように縦向き外装部材２１の上下端部を、それらの間で把持位置に起立させた取手３の把持部３ｂを把持できるようにし、かつ胴部１ｅを外力から保護するのに必要な最小限の厚みとした減厚部２１２よりも厚みが大きく強度を高めた増厚部２１１とし、これに対応する幅を持ち、図９に示すような平面より見てコの字状などのパターンを持って周方向に配設したリブ３４ｃによって補強されて十分な強度を持った前記横向き係合部３４ａと、前記増厚部２１１との間に、図７に示すようにそれらに近い厚み、太さとした十分な強度の両脚部３ａを、図２、図５、図６に示すように前記連結部７３近傍部にまでに嵌め合せて、それら横向き係合部３４ａと前記増厚部２１１とに亘って図２、図６、図７に示すように通した前記ピン７１により枢支して、十分な支持強度が得られるようにしている。
【００５１】
ピン７１は縦向き外装部材２１に設けた図６、図７に示すようなリブ８１により縦向き外装部材２１側の端部７１ａを受け止め、縦向き外装部材２１に取手３をピン７１で支持して、それらを一体の部品として取り扱える取手ユニット８２を構成するようにしている。これによって、この取手ユニット８２を胴部１ｅに当てがっておいて、上下から上下外装部材２３、２４をボトル本体１に嵌め合わせる際に、取手ユニット８２における縦向き外装部材２１の上下端部３４と軸線方向に嵌め合わせることにより組み立てができる。このとき、ピン７１の上下外装部材２３、２４側の端部７１ｂは、上下外装部材２３、２４側に設けたリブ８３、８４に当てがって抜け止めするようにしてある。リブ８１、８３、８４は縦向き外装部材２１、上下外装部材２３、２４の空間部にピン７１の挿入限界位置を規制し、また抜け止めする部分を設ける最も簡易な形態として選択しただけで、それ以外の形態であってもよいのは勿論である。
【００５２】
また、取手３はピン７１を中心に格納位置と把持位置との間で起伏できるが、吊り持ち時などに不用意に把持位置側に起きると携行の邪魔になるし、他と引っ掛かって損傷することにもなる。そこで、図２、図３、図５、図６、図８、図１１に示すように取手３と縦向き外装部材２１の上下の連結部７３の少なくとも一方、本例では上部の連結部７３との間に取手３を格納位置に安定させる係止手段１８２を設けている。係止手段１８２は例えば、図８、図９、図１１に示すように連結部７３に設けた一対のスリット７３ａなどによって形成した樹脂ばね７３ｂの先端部７３ｃと、取手３の枢支部まわりに一体形成した係合突起３ｃとが図５（ｂ）（ｃ）に示すように弾性係合して取手３を格納位置に係止するようにしている。さらに詳細に説明すると、係合突起３ｃは取手３が把持位置から格納位置に伏倒していくほぼ最終時期から図５（ｃ）に示す矢印の方向に樹脂ばね７３ｂの先端部７３ｃを樹脂ばね７３ｂの弾性変形を伴い押し退けながら先端部７３ｃの上に乗っていき、取手３が格納位置の寸前になったときに係合突起３ｃは先端部７３ｃの上に軽いクリック感を持って乗り切り、それまで押し退けられていた先端部７３ｃがフリーとなって樹脂ばね７３ｂが復元するときの先端部７３ｂの復帰によって係合突起３ｃを介し取手３を格納位置まで弾性的に押し付けその位置に弾性係止するようになっている。従って、取手３は格納位置に安定し、がたつくこともない。格納位置にある取手３を把持位置へ起こすときは前記とは逆に、係合突起３ｃは樹脂ばね７３ｂの先端部７３ｃを樹脂ばね７３ｂの弾性変形を伴い押し退けながら先端部７３ｃから軽いクリック感を持って外れた後、把持位置までフリーな状態で回動できる。
【００５３】
一方、取手３を支持していない縦向き外装部材２２は、取手３を支持した縦向き外装部材２１が取手３を把持してボトル本体１を取り扱う場合のような負荷を受けない。そこで、上下外装部材２３、２４との上下端部３５は、図３、図４に示すように縦向き外装部材２２の周方向のほぼ全域に亘る平面より見た単なる円弧状の板部とし、上外装部材２３とボトル本体１との間の隙間、下外装部材２４とボトル本体１との間の隙間、またはおよび図４に下外装部材２４で代表して示すような溝９１に嵌め合せて支持している。また、縦向き外装部材２２は縦向き外装部材２１に比し厚みが小さいが、図５（ｂ）に示すような波型の横断面を持つような形状として、変形剛性を高め、ボトル本体１の胴部外面から浮かせることでボトル本体１を外力から十分に保護できるようにしている。
【００５４】
さらに、縦向き外装部材２１、２２は共に、図１〜図４、図６、図７に示すように上下外装部材２３、２４の周方向での膨らみ部２３ｃ、２４ｃによる膨らみを伴い、ボトル本体１の外面から最も飛び出すように形成し、かつ支持してある。これにより、ボトル本体１の胴部に外力が働くとき、縦向き外装部材２１、２２が最優先してそれを受け止めるように働き、ボトル本体１を外力から保護することができる。
【産業上の利用可能性】
【００５５】
本発明は、起伏する取手を持った携帯用のステンレスボトルに実用でき、取手を支持する樹脂製の胴部カバーを有効利用して、耐久性、お手入れ性、低コスト性に優れたものとなる。
【図面の簡単な説明】
【００５６】
【図１】本発明の実施の形態に係るステンレスボトルを示す側面図である。
【図２】図１のボトルの正面図である。
【図３】図１のボトルの背面図である。
【図４】図１のボトルの断面図である。
【図５】図１のボトルの平面図および横断面図と、一部の拡大断面図である。
【図６】図１のボトルの取手支持状態を示す半部を断面して見た正面図である。
【図７】図６の取手支持部を別の角度で見た一部断面図である。
【図８】図１のボトルの取手とそれを支持する胴部カバーとの関係を示す正面図である。
【図９】図８の胴部カバーの背面図と上面図および下面図である。
【図１０】図８の胴部カバーの中央縦断面図である。
【図１１】図８の胴部カバーの取手との関係を別の角度から見た断面図である。
【図１２】図８の胴部カバーの端部および中央部の横断面図である。
【図１３】吊紐の連結具と連結部との関係を示す正面図である。
【符号の説明】
【００５７】
１  ボトル本体
１ａ  外壁
１ｂ  内壁
１ｃ  真空断熱空間
１ｄ  底部
１ｅ  胴部
１ｆ  肩部
１ｇ  口部
２  外装部材
３  取手
３ａ  脚部
３ｂ  把持部
２１、２２  縦向き外装部材
２３  上外装部材
２４  下外装部材
２３ａ、２４ａ  係合穴
２５  栓
２７  キャップ
３４、３５  上下端部
７１  ピン
１０１  切り込み部
１０２  端面
１０３  挿入孔
【図１】
2005192594.tif 000003
【図２】
2005192594.tif 000004
【図３】
2005192594.tif 000005
【図４】
2005192594.tif 000006
【図５】
2005192594.tif 000007
【図６】
2005192594.tif 000008
【図７】
2005192594.tif 000009
【図８】
2005192594.tif 000010
【図９】
2005192594.tif 000011
【図１０】
2005192594.tif 000012
【図１１】
2005192594.tif 000013
【図１２】
2005192594.tif 000014
【図１３】
2005192594.tif 000015